(57)【要約】【課題】本発明はカードの有無の検出とカードの特性の検出を少なく部品で行なうことを課題とする。【解決手段】スイッチ機構２１０は、可動端子２３０と、第1の固定端子２４０と、第２の固定端子２５０とを有する。可動端子２３０は、カード挿入部２２０にメモリカードが挿入されると弾性変形するように構成されている。第1の固定端子２４０は、可動端子２３０の弾性変位によりメモリカードが挿入されたか否かを検出するための端子である。第２の固定端子２５０は、可動端子２３０の弾性変位により書き込み可能または書き込み禁止を検出するための端子である。メモリカード２０の挿入動作に伴って、可動端子２３０のワイピング部２３７は左側に押し出される。そのため、ワイピング部２３７の接触部２３７ａは、変位量に応じて第1、第２の固定端子２４０、２５０の何れかに接触し、または両固定端子２４０、２５０と非接触となる。【選択図】図７
2010224966.tif 000002
【特許請求の範囲】
【請求項１】
カードが挿入される挿入部を有するハウジングと、前記カードが前記挿入部に挿入されると共に当該カードに押されて弾性変位する可動端子と該可動端子の弾性変位によって接触される固定端子とからなるスイッチ機構とを有するカード用コネクタであって、
前記可動端子の変位方向に複数の固定端子を配し、
前記可動端子は、前記カードの有無及び前記カードの形状に応じた変位量によって前記複数の固定端子の何れかに接触または前記複数の固定端子と非接触となることを特徴とするカード用コネクタ。
【請求項２】
前記複数の固定端子は、一端が前記ハウジングに保持され、他端がプリント基板の回路パターンに接続されることを特徴とする請求項１に記載のカード用コネクタ。
【請求項３】
前記複数の固定端子は、前記ハウジングが実装されるプリント基板の同一平面に形成された電極パターンであることを特徴とする請求項１に記載のカード用コネクタ。
【請求項４】
前記複数の固定端子は、一端が前記ハウジングに保持され、他端が前記ハウジングの内部で前記挿入部に対向する位置に形成されることを特徴とする請求項１に記載のカード用コネクタ。
【請求項５】
前記可動端子は、前記複数の固定端子の他端に対向する複数の接触部を有し、
前記複数の接触部の延在長さを変えることにより、前記可動端子の変位量に応じて前記複数の固定端子の何れかに接触または非接触となるタイミングを任意に設定することを特徴とする請求項４に記載のカード用コネクタ。
【請求項６】
前記複数の固定端子は、前記可動端子の他端に対向する複数の被接触部を有し、
前記複数の被接触部の位置を変えることにより、前記可動端子の変位量に応じて前記複数の固定端子の何れかに接触または非接触となるタイミングを任意に設定することを特徴とする請求項４に記載のカード用コネクタ。
【請求項７】
前記カードは、前記可動端子が接する部分にデータの書き込み可能または書き込み禁止を指示する突起が摺動可能に設けられたメモリカードであり、
前記挿入部に挿入されるときの前記突起の位置に応じて前記可動端子の変位量が変化することを特徴とする請求項１に記載のカード用コネクタ。
【請求項８】
前記可動端子は、前記カードが前記挿入部に挿入されると共に、前記カードに押圧されて弾性変位して一の固定端子に接触、または非接触となり、
前記カードの前記突起が前記データの書き込み可を指示する位置にある場合には、さらに弾性変位して他の固定端子に接触、または非接触となることを特徴とする請求項７に記載のカード用コネクタ。
【請求項９】
前記複数の固定端子は、一端が前記プリント基板の回路パターンに接続され、
前記可動端子は、前記カードの挿入、及び前記突起の位置に応じて弾性変位の変位量が変化し、前記複数の固定端子の何れかに接触または非接触となることにより、前記プリント基板の回路パターンにカード検出信号、及びデータ書き込み可能信号、またはデータ書き込み禁止信号を出力することを特徴とする請求項７に記載のカード用コネクタ。
【発明の詳細な説明】
【技術分野】
【０００１】
本発明はカード用コネクタに係り、特にカードが挿入されたことを検出するスイッチ機構を有するカード用コネクタに関する。
【背景技術】
【０００２】
デジタルカメラ、携帯電話機、プリンタあるいは携帯型の端末装置(パーソナルコンピュータ)等の電子機器においては、ＩＣメモリがパッケージされたメモリカードを記憶媒体として用いている。この種のメモリカードは、小型化、薄型化、大容量化が図れると共に、より多くの電子機器に装着されつつある。
【０００３】
また、各電子機器においては、形状の異なる各種メモリカードが選択的に装着可能なカード用コネクタが要望されている（例えば、特許文献１参照）。
【０００４】
ここで、図１及び図２を参照してカード用コネクタの従来の一例について説明する。図１は形状の異なる各種メモリカードが選択的に挿入可能とされる従来のカード用コネクタの一例を示す斜視図である。図２は図１のカード用コネクタを分解して示す斜視図である。図３は図１のカード用コネクタのＡ−Ａ線に沿う縦断面図である。
【０００５】
各図中、Ｘ１−Ｘ２は幅方向、Ｙ１−Ｙ２は長手方向、Ｚ１−Ｚ２は厚さ（高さ）方向である。Ｙ１はメモリカードをメモリカード用コネクタに挿入する方向、Ｙ２はメモリカードがイジェクトされる方向である。
【０００６】
［メモリカード用コネクタ６０の概略構成］
図１乃至図３を参照するに、メモリカード用コネクタ６０は、下段ハウジングモジュール７０と、この上面に重ねられた上段ハウジング１００と、この上段ハウジング１００を覆う金属板製のカバー部材１２０とを有する。メモリカード用コネクタ６０の内部には、誤挿入防止部材１３０と、第１の検出スイッチ１４０と、第２の検出スイッチ１６０とを有し、Ｙ２端にカード挿入口６１を有する。さらに、メモリカード用コネクタ６０のカード挿入口６１は、下段ハウジングモジュール７０に対応する下段挿入口６２と上段ハウジング１００に対応する上段挿入口６３とよりなる構成である。
【０００７】
このメモリカード用コネクタ６０は、電子機器のプリント回路基板上に実装されて電子機器内に組み込まれ、挿入口６１が当該電子機器の外面に露出している。
【０００８】
メモリカード用コネクタ６０は、下段挿入口６２に形状の異なる第１のメモリカード２０、第２のメモリカード３０、第３のメモリカード４０が選択的に装着可能である。また、上段挿入口６３には、第４のメモリカード５０が装着可能である。
【０００９】
ここで、第３のメモリカード４０と第４のメモリカード５０とは、端子の配置が同じであり、第４のメモリカード５０は、長手方向の長さ寸法が第２のメモリカード３０の３／５の長さである。第１のメモリカード２０と第３のメモリカード４０とは、外形寸法が略同じであり、長さは第４のメモリカード５０の長さと略同じで、幅は第２のメモリカード３０の幅より少し広く、且つ端子の配置が同じであり、第１のメモリカード２０が書き込み指示部材２３を有する点が相違する。
【００１０】
[下段ハウジングモジュール７０の構造]
図２に示すように、下段ハウジングモジュール７０は、インサート成形部品であり、合成樹脂製の下段ハウジング本体７１に、複数のコンタクト部材８０と複数のダブルコンタクト部材９０とがインサート成形されている。また、下段ハウジング本体７１に、一対の可動端子部材１４１，１６１が圧入されて固定してある。
【００１１】
下段ハウジング本体７１は、大略、Ｘ１側のフレームロッド７２と、Ｘ２側のフレームロッド７３と、３つの横架部７４，７５，７６とを有する四角のフレーム形状である。フレームロッド７２、７３は、内側に、ガイド溝７２ａ、７３ａを有する。
【００１２】
コンタクト部材８０は、下段挿入口６２の近くに位置する横架部７４にインサートされており、第１、第３のメモリカード２０、４０の双方の各端子の装着位置に対応して複数本が並列に配置されている。
【００１３】
ダブルコンタクト部材９０は、Ｙ１端の横架部７６にインサート成形してある。ダブルコンタクト部材９０は、図３に示すように、短い長さのコンタクト腕部９１と長い長さのコンタクト腕部９２とを有する。また、ダブルコンタクト部材９０は、根元９３の箇所でコンタクト腕部９１とコンタクト腕部９２とがつながっており、根元９３の箇所よりＹ１方向に延在するリード端子部９４を有する。また、コンタクト腕部９１は、横架部７６にインサート成形されている。
【００１４】
コンタクト腕部９１は、第２のメモリカード３０の各端子の装着位置に対応して複数本が並列に配置されている。コンタクト腕部９２は、フレームロッド７２、７３よりＺ１側の高さ位置にあって、Ｙ２方向に延在しており、第４のメモリカード５０の各端子の装着位置に対応して複数本が並列に配置されている。
【００１５】
[上段ハウジング１００の形状]
図２に示すように、上段ハウジング１００は、合成樹脂製の成形部品であり、Ｘ１側のフレームロッド１０１と、Ｘ２側のフレームロッド１０２と、２つの横架部１０３，１０４とを有するフレーム形状である。フレームロッド１０１、１０２は、内側に、ガイド溝１０１ａ、１０２ａを有する。横架部１０４には、複数の貫通孔１０５が形成してある。貫通孔１０５は、コンタクト腕部９２が貫通してある。
【００１６】
[下段ハウジングモジュール７０のメモリカード挿入動作]
図２及び図３に示すように、下段ハウジングモジュール７０は、内部に、第１〜３のメモリカード２０、３０、４０が装着されるための空間を有する。上段ハウジング１００は、内部に、第４のメモリカード５０が装着されるための空間を有する。
【００１７】
第４のメモリカード５０が装着されていない場合に、メモリカード用コネクタ６０には、下段挿入口６２を通して、第１〜３のメモリカード２０、３０、４０が選択的に装着される。
【００１８】
逆に、第１〜３のメモリカード２０、３０、４０が装着されていない場合に、カード用コネクタ６０には、上段挿入口６３を通して、第４のメモリカード５０が装着される。第４のメモリカード５０は各端子がコンタクト腕部９２と接触した状態となって装着される。
【００１９】
第１のメモリカード２０等が装着されている場合には、誤挿入防止部材１３０が挿入された第１のメモリカード２０等によってＹ１方向に押される。これにより、誤挿入防止部材１３０は、図３中反時計方向に約９０度回動して上段ハウジング１００内への第４のメモリカード５０の装着を阻止する。また、第４のメモリカード５０が装着されている場合には、誤挿入防止部材１３０は装着されている第４のメモリカード５０によって押さえられる。これにより、誤挿入防止部材１３０は、図３中時計方向に約９０度回動されて下段ハウジング本体７１内への第１〜３のメモリカード２０、３０、４０の装着を阻止する。
【００２０】
[第１の検出スイッチ１４０及び第２の検出スイッチ１６０の構造]
第１の検出スイッチ１４０は、第１、第３のメモリカード２０，４０が装着されたことを検出するスイッチであり、可動端子部材１４１と、カバー部材１２０の側板部１２３に切り起して形成してある固定端子部１２５とよりなる。
【００２１】
可動端子部材１４１は、フレームロッド７３のスリットに圧入されて基部１４２を固定されて取り付けてあり、コンタクト部１４６は、腕部１４５が撓むことによってＸ１、Ｘ２方向に変位可能である。即ち、コンタクト部１４６は腕部１４５の先端が撓む方向と同じ方向に変位する。
【００２２】
第１、第３のメモリカード２０，４０が装着されると、第１、第３のメモリカード２０，４０のＸ２側の側面のうち挿入方向先端に近い部分が、腕部１４５をＸ２方向に押し退け、腕部１４５がＸ２方向に撓む。腕部１４５が弾性変形することにより、コンタクト部１４６は、Ｘ２方向に変位し、固定端子部１２５に接近し、先端部が固定端子部１２５に接触する。従って、第１の検出スイッチ１４０はオンとなり、カード検出信号を出力する。
【００２３】
第２の検出スイッチ１６０は、第１のメモリカード２０の書き込み指示部材２３が書き込み可能位置に設定されているか、あるいは書き込み禁止位置に設定されているか否かを検出するためのものであり、可動端子部材１６１と、カバー部材１２０の側板部１２３に切り起して形成してある別の固定端子部とよりなる。
【００２４】
可動端子部材１６１は、実質的に前記の可動端子部材１４１と同じ構成であり、腕部１６５の先端に馬蹄形状のコンタクト部１６６を有する。
【００２５】
第２の検出スイッチ１６０は、第１のメモリカード２０の書き込み指示部材２３が書き込み禁止位置に設定されている場合には、書き込み指示部材２３に接触せず、オフ状態を維持する。また、第１のメモリカード２０の書き込み指示部材２３が書き込み可能位置に設定されている場合には、第２の検出スイッチ１６０は、腕部１６５が書き込み指示部材２３に当接すると共にＸ２方向に押し退けられ、コンタクト部１６６がカバー部材１２０に設けられた固定端子部と接触する。従って、第２の検出スイッチ１６０はオンとなり、書き込み可能検出信号を出力する。
【００２６】
なお、メモリカード用コネクタ６０は、カバー部材１２０の脚部が電子機器のプリント回路基板にねじ止めされ且つグランドパターンと半田付けされてプリント回路基板上に実装される。また、可動端子部材１４１のリード端子部及び可動端子部材１６１のリード端子部は、プリント回路基板上の検出回路のパッドと半田付けされる。よって、第１、第２の検出スイッチ１４０、１６０がオンまたはオフ状態になると、各検出信号が上記検出回路に入力され、当該メモリカード用コネクタ６０が搭載された電子機器では、各検出信号の組み合わせに応じた制御処理が行なわれる。
【特許文献１】特願２００７−２７９９４９号（本出願人が平成１９年１０月２９日に出願したもの）
【発明の開示】
【発明が解決しようとする課題】
【００２７】
しかしながら、上記構成のカード用コネクタは、カードの挿入を検出するための第１の検出スイッチ１４０と、カードの書き込み可能または書き込み禁止が設定されているか否かを検出するための第２の検出スイッチ１６０とを設けた構成であるので、コネクタ側面の構成が複雑化しており、各スイッチを構成する可動端子部材１４１、１６１が狭いスペースで接近するため、小型化を図ろうした場合には互いに干渉しないように配置することが難しく、組み付け作業にも神経を使うことになるので、生産効率を高めることが難しかった。
【００２８】
そこで、本発明は上記事情に鑑み、上記課題を解決したカード用コネクタを提供することを目的とする。
【課題を解決するための手段】
【００２９】
上記課題を解決するため、本発明は以下のような手段を有する。
【００３０】
本発明は、カードが挿入される挿入部を有するハウジングと、前記カードが前記挿入部に挿入されると共に当該カードに押されて弾性変位する可動端子と該可動端子の弾性変位によって接触される固定端子とからなるスイッチ機構とを有するカード用コネクタであって、
前記可動端子の変位方向に複数の固定端子を配し、
前記可動端子は、前記カードの有無及び前記カードの形状に応じた変位量によって前記複数の固定端子の何れかに接触または前記複数の固定端子と非接触となることを特徴とする。
【発明の効果】
【００３１】
本発明によれば、挿入されたカードの状態に応じて一つの可動端子の変位量が変化することで複数の固定端子の何れかに接触(オン)または非接触(オフ)になるため、可動端子数を削減してコネクタの組み立てが容易になり、生産効率を向上させることが可能になる。
【発明を実施するための最良の形態】
【００３２】
以下、図面を参照して本発明を実施するための最良の形態について説明する。
【実施例１】
【００３３】
図４は本発明によるカード用コネクタの実施例１を示す斜視図である。尚、図４において、カバー部材１２０が外されており、前述した図１乃至図３と同じ部分には、同一符号を付して説明を省略する。
【００３４】
図４に示されるように、カード用コネクタ２００は、下段ハウジングモジュール７０と、上段ハウジング１００とを有する。また、カード用コネクタ２００は、下段ハウジングモジュール７０に下段挿入口６２が設けられ、上段ハウジング１００に上段挿入口６３が設けられている。カード用コネクタ２００の左側面には、スイッチ機構２１０が設けられている。
【００３５】
［スイッチ機構２１０の構成］
図５は下段ハウジングモジュール７０を示す斜視図である。図６Ａは図５中のＢ部を下段ハウジングモジュール７０の左側からみた拡大図である。図６Ｂは図５中のＢ部を下段ハウジングモジュール７０の右側からみた拡大図である。図５及び図６Ａ、図６Ｂに示されるように、スイッチ機構２１０は、下段挿入口６２に連通されたカード挿入部２２０の左側方に配されている。
【００３６】
スイッチ機構２１０は、可動端子２３０と、第1の固定端子２４０と、第２の固定端子２５０とを有する。可動端子２３０は、カード挿入部２２０にメモリカードが挿入されると弾性変形するように構成されている。第1の固定端子２４０は、可動端子２３０の弾性変位によりメモリカードが挿入されたか否かを検出するための端子である。第２の固定端子２５０は、可動端子２３０の弾性変位により書き込み可能または書き込み禁止を検出するための端子である。
【００３７】
本実施例では、書き込み可能または書き込み禁止を指示する書き込み指示部材(突起)２３が摺動可能に設けられた第１のメモリカード２０(図１参照)がカード挿入部２２０に挿入される場合を例に挙げて説明する。
【００３８】
ここで、図７及び図８Ａ、図８Ｂを参照してスイッチ機構２１０の構成について説明する。図７及び図８Ａ、図８Ｂに示されるように、スイッチ機構２１０の可動端子２３０は、導電性金属板を打ち抜き加工及び曲げ加工したものである。可動端子２３０は、リード端子２３１と、支柱部２３２と、保持部２３３と、可撓部２３４と、カード当接部２３５と、曲げ部２３６と、ワイピング部２３７とを有する。
【００３９】
リード端子２３１は、プリント基板のGND端子に半田付けされる水平方向に延在する接続面２３１ａを有する。接続面２３１ａは、下段ハウジングモジュール７０の左側面のＹ１方向側に形成された凹部７２より左側（Ｘ２方向）に突出するように延在形成されている。
支柱部２３２は、リード端子２３１より上方に延在形成されており、下段ハウジングモジュール７０の左側面に形成された凹部７２(図６、図７参照)の内壁に当接する。
【００４０】
保持部２３３は、支柱部２３２の中間高さ位置から水平方向に延在形成されており、先端に凹部７２内のスリットに嵌合係止される係止部２３３ａを有する。
【００４１】
可撓部２３４は、保持部２３３の上方に位置し、支柱部２３２の上端より水平方向に延在形成されている。さらに、可撓部２３４は、基端部２３４ａと、弾性変形部２３４ｂと、先端部２３４ｃとを有する。
【００４２】
基端部２３４ａは、支柱部２３２に支持されて内側（カード挿入部２２０側）に曲げ加工されており、弾性変形部２３４ｂの支点として作用する。また、弾性変形部２３４ｂは、基端部２３４ａよりＸ１方向に傾斜した形状に形成され、基端部２３４ａを支点としてＸ１、Ｘ２方向に弾性変形可能に設けられている。
先端部２３４ｃは、弾性変形部２３４ｂの先端に設けられ、カード当接部２３５を保持している。カード当接部２３５は、上方からみると、先端部２３４ｃより右側（Ｘ１方向）に突出するＲ形状の曲面を有しており、後述するようにメモリカード２０がカード挿入部２２０に挿入される過程でメモリカード２０の側面に摺接する。
【００４３】
曲げ部２３６は、先端部２３４ｃの左側（Ｘ２方向）に設けられ、上下方向（Ｚ１，Ｚ２方向）に延在する逆Ｕ字形状に曲げ加工されている。そのため、曲げ部２３６は、左右方向（Ｘ１、Ｘ２方向）の応力が印加されると、逆Ｕ字形状部分が押圧方向に伸縮して左右方向の衝撃を緩和すると共に、ワイピング部２３７を弾力的に支持する作用も有している。
【００４４】
ワイピング部２３７は、曲げ部２３６より所定角度で傾斜するように下方に延在形成されており、下端には、第1、第２の固定端子２４０、２５０に摺接するように上方に曲げ加工された接触部２３７ａを有する。接触部２３７ａは、下段ハウジングモジュール７０の左側面のＹ２方向側に形成された凹部７４より左側（Ｘ２方向）に突出するように延在形成されている。そして、凹部７４のＸ２方向には、第1、第２の固定端子２４０、２５０が配されている。
【００４５】
接触部２３７ａは、曲面が下側に形成されており、当該曲面がワイピング部２３７の傾斜角度の変位によって下方に押圧されて第1、第２の固定端子２４０、２５０に密着する。そして、メモリカード２０の挿入動作に伴ってカード当接部２３５がメモリカード２０の左側面に当接すると共に、ワイピング部２３７は曲げ部２３６と共に左側（Ｘ２方向）に押し出される。そのため、ワイピング部２３７の接触部２３７ａは、後述するように、第1、第２の固定端子２４０、２５０の上面を摺接する。
【００４６】
第1の固定端子２４０は、Ｙ１方向からみるとコ字状に形成されており、接触面２４１と、垂直部２４２と、係止部２４３とを有する。接触面２４１は、プリント基板上の回路パターンに半田付けされるように水平な平面に形成されている。垂直部２４２は、接触面２４１より鉛直方向（Ｚ１方向）に延在形成されている。係止部２４３は、垂直部２４２の上端より右側（Ｘ１方向）に曲げられており、下段ハウジングモジュール７０の左側面に設けられたスリットに圧入される。
【００４７】
第２の固定端子２５０は、Ｙ１方向からみるとクランク状に形成されており、接触面２５１と、垂直部２５２と、係止部２５３とを有する。接触面２５１は、プリント基板上の回路パターンに半田付けされるように水平な平面に形成されている。垂直部２５２は、接触面２５１より鉛直方向（Ｚ１方向）に延在形成されている。係止部２４３は、垂直部２４２の上端より右側（Ｘ１方向）に曲げられており、下段ハウジングモジュール７０の左側面に設けられたスリットに圧入される。
【００４８】
図９はスイッチ機構２１０の組み付け状態を示す斜視図である。尚、図９においては、下段ハウジングモジュール７０を省略してある。
【００４９】
図９に示されるように、第1の固定端子２４０の接触面２４１と第２の固定端子２５０の接触面２５１とは、Ｘ方向の隙間Ｓ１を介してＹ方向に並列に延在するように取り付けられる。また、可動端子２３０のワイピング部２３７は、接触面２４１、２５１に対してＸ方向から交差するように配されており、可撓部２３４が左右方向（Ｘ１，Ｘ２方向）に弾性変形するのに伴って先端の接触部２３７ａが接触面２４１、２５１の何れかに摺接する位置、または隙間Ｓ１の位置に変位する。この隙間Ｓ１は、接触面２４１と接触面２５との間に形成された中立領域である。尚、隙間Ｓ１の間隔(寸法)は、接触部２３７ａの左右方向（Ｘ１，Ｘ２方向）の幅寸法よりも幅広に設定されている。
【００５０】
［スイッチ機構２１０の検出動作］
図１０Ａはメモリカード２０が未挿入のときのスイッチ機構２１０の状態を示す平面図である。図１０Ｂは図１０ＡのＣ１−Ｃ１線に沿う縦断面図である。図１０Ａ及び図１０Ｂに示されるように、下段ハウジングモジュール７０の下段挿入口６２から第１のメモリカード２０が挿入されていない未挿入のときは、可動端子２３０の可撓部２３４が右側（Ｘ１方向）に変位している。そのため、可動端子２３０のカード当接部２３５は、カード挿入部２２０内に突出している。
【００５１】
また、可動端子２３０のワイピング部２３７は、先端の接触部２３７ａが接触面２４１に摺接する位置にあり、接触面２４１を下方に押圧した状態で停止している。
【００５２】
図１０Ｃはメモリカード２０が未挿入のときのスイッチ機構２１０の状態を模式的に示す図である。図１０Ｃに示されるように、可動端子２３０のワイピング部２３７は、第1の固定端子２４０の接触面２４１に接触しており、第1の固定端子２４０がオン状態、第２の固定端子２５０がオフ状態になっている。可動端子２３０、第1の固定端子２４０及び第２の固定端子２５０は、夫々プリント基板に設けられた検出回路３００と接続されている。従って、スイッチ機構２１０から出力された検出信号を受信した検出回路３００は、第1の固定端子２４０及び第２の固定端子２５０からの検出信号の組合せ（オン、オフ）によってメモリカード２０が未挿入であることを認知することができる。
【００５３】
図１１Ａは書き込み可能を設定されたメモリカード２０がカード挿入部２２０内に挿入されたときのスイッチ機構２１０の状態を示す平面図である。図１１Ｂは図１１ＡのＣ２−Ｃ２線に沿う縦断面図である。図１１Ａ及び図１１Ｂに示されるように、下段ハウジングモジュール７０の下段挿入口６２から第１のメモリカード２０が挿入されたときは、可動端子２３０のカード当接部２３５が第１のメモリカード２０の左側面に当接して左側（Ｘ２方向）に押し出される。
【００５４】
さらに、下段ハウジングモジュール７０のカード挿入部２２０内に挿入、装着された当該メモリカード２０の書き込み指示部材２３が書き込み可能位置にある場合、可動端子２３０のカード当接部２３５は、書き込み指示部材２３に当接する。
【００５５】
これにより、可動端子２３０のワイピング部２３７は、可動端子２３０の可撓部２３４が左側（Ｘ２方向）に弾性変形すると共に、先端の接触部２３７ａが接触面２４１を離間して左方（Ｘ２方向）に変位し、隙間Ｓ１を通過して第２の固定端子２５０の摺接面２５１に摺接する位置に移動する。そして、ワイピング部２３７の接触部２３７ａは、第２の固定端子２５０の摺接面２５１の上面を摺接する。
【００５６】
さらに、ワイピング部２３７は、接触部２３７ａが摺接面２５１を摺接する際の抵抗を受けて若干撓んだ状態になりながら曲げ部２３６により左側（Ｘ２方向）に押し出される。そのため、ワイピング部２３７の接触部２３７ａは、可動端子２３０のバネ力によって接触面２５１を下方に押圧しながら摺動してワイピング動作を行なう。
【００５７】
図１１Ｃは書き込み可能を設定されたメモリカード２０が挿入されたときのスイッチ機構２１０の動作状態を模式的に示す図である。図１１Ｃに示されるように、可動端子２３０のワイピング部２３７は、第２の固定端子２５０の接触面２５１に接触しており、第1の固定端子２４０がオフ状態、第２の固定端子２５０がオン状態になっている。従って、スイッチ機構２１０から出力された検出信号を受信した検出回路３００は、第1の固定端子２４０及び第２の固定端子２５０からの検出信号の組合せ(オフ、オン)によってメモリカード２０が装着され、且つメモリカード２０の書き込み指示部材２３が書き込み可能位置にあることを認知することができる。
【００５８】
図１２Ａは書き込み禁止を設定されたメモリカード２０がカード挿入部２２０内に挿入されたときのスイッチ機構２１０の状態を示す平面図である。図１２Ｂは図１２ＡのＣ３−Ｃ３線に沿う縦断面図である。図１２Ａ及び図１２Ｂに示されるように、下段ハウジングモジュール７０の下段挿入口６２から第１のメモリカード２０が挿入されたときは、可動端子２３０のカード当接部２３５が第１のメモリカード２０の左側面に当接して左側（Ｘ２方向）に押し出される。
【００５９】
さらに、下段ハウジングモジュール７０のカード挿入部２２０内に挿入された当該メモリカード２０の書き込み指示部材２３が書き込み禁止位置にある場合、メモリカード２０の左側面に形成された凹部２４は、可動端子２３０のカード当接部２３５に当接する位置に変位する。
【００６０】
これにより、可動端子２３０のワイピング部２３７は、メモリカード２０の挿入と共に、左側（Ｘ２方向）に変位した後、カード当接部２３５がメモリカード２０の左側面に形成された凹部２４に当接する際に右側（Ｘ１方向）に戻る。右側（Ｘ１方向）への戻り量は、接触面２４１と接触面２５１との離間距離の半分程度になるように設定されている。
【００６１】
そのため、ワイピング部２３７の接触部２３７ａは、第２の固定端子２５０の摺接面２５１の上面を一旦摺接した後、接触面２４１と接触面２５１との中間に形成された中立領域に変位する。すなわち、ワイピング部２３７の接触部２３７ａは、接触面２４１、２５１の何れにも接触しない中立領域(隙間Ｓ１)に停止する。
【００６２】
図１２Ｃは書き込み禁止を設定されたメモリカード２０が挿入されたときのスイッチ機構２１０の動作状態を模式的に示す図である。図１２Ｃに示されるように、可動端子２３０のワイピング部２３７は、接触面２４１、２５１の何れにも接触しない中立位置にあり、第1の固定端子２４０及び第２の固定端子２５０が共にオフ状態になっている。従って、スイッチ機構２１０から出力された検出信号を受信した検出回路３００は、第1の固定端子２４０及び第２の固定端子２５０からの検出信号の組合せ(オフ、オフ)によってメモリカード２０が装着され、且つメモリカード２０の書き込み指示部材２３が書き込み禁止位置にあることを認知することができる。
【００６３】
このように、カード用コネクタ２００は、挿入されたメモリカード２０の状態に応じて可動端子２３０の変位量が変化することで第1の固定端子２４０及び第２の固定端子２５０の何れかに接触(オン)または離間(オフ)するため、可動端子数を削減してコネクタの組み立てが容易になり、生産効率を向上させることが可能になる。
【実施例２】
【００６４】
図１３は本発明によるカード用コネクタの実施例２を示す斜視図である。尚、図１３において、前述した図４と同じ部分には、同一符号を付して説明を省略する。
【００６５】
図１３に示されるように、カード用コネクタ４００は、下段ハウジングモジュール７０と、上段ハウジング１００とを有する。カード用コネクタ４００の左側面には、スイッチ機構４１０が設けられている。
【００６６】
［スイッチ機構４１０の構成］
図１４は下段ハウジングモジュール７０を示す斜視図である。図１５は図１４中のＤ部を下段ハウジングモジュール７０の左側からみた拡大図である。図１４及び図１５に示されるように、スイッチ機構４１０は、下段挿入口６２に連通されたカード挿入部２２０の左側方に配されている。下段ハウジングモジュール７０は、プリント基板４６０の上面に実装されており、ねじ部材などの締結手段によりプリント基板４６０に固定される。
【００６７】
スイッチ機構４１０は、可動端子２３０と、第1の固定端子４４０と、第２の固定端子４５０とを有する。可動端子２３０は、実施例１の同一構成であるので、説明を省略する。
【００６８】
第1の固定端子４４０及び第２の固定端子４５０は、印刷またはめっき法などによりプリント基板４６０の上面に直接露出するように薄膜形成されている。また、第1の固定端子４４０及び第２の固定端子４５０は、プリント基板４６０に形成された回路パターンを介して検出回路３００と接続されている。
【００６９】
従って、本実施例の場合、第1の固定端子４４０及び第２の固定端子４５０がプリント基板４６０を製造する工程で形成されるため、カード用コネクタ４００を構成する部品点数を削減することが可能になる。よって、前述した実施例１の構成に比べて第1の固定端子４４０及び第２の固定端子４５０を個別に加工する手間と、第1の固定端子４４０及び第２の固定端子４５０を下段ハウジングモジュール７０に組み付ける手間を削減して低コスト化を図ることが可能になる。
【００７０】
第1の固定端子４４０は、実施例１の第１の固定端子２４０と同様、可動端子２３０の弾性変位によりメモリカードが挿入されたか否かを検出するための端子である。第２の固定端子２５０は、実施例１の第２の固定端子２５０と同様、可動端子２３０の弾性変位により書き込み可能または書き込み禁止を検出するための端子である。
【００７１】
図１６はスイッチ機構４１０を上方からみた平面図である。図１６に示されるように、スイッチ機構４１０の第1、第２の固定端子４４０、４５０は、夫々Ｙ方向に延在する長方形状に形成されている。また、第1、第２の固定端子４４０、４５０は、Ｘ方向の各辺が近接しているものの、微小な隙間を介して並列に設けられている。
また、可動端子２３０のワイピング部２３７は、第1、第２の固定端子４４０、４５０に対してＸ方向から交差するように配されており、可撓部２３４が左右方向（Ｘ１，Ｘ２方向）に弾性変形するのに伴って先端の接触部２３７ａが第1、第２の固定端子４４０、４５０の何れかに摺接する検出領域、または第1、第２の固定端子４４０、４５０よりはずれた中立領域に変位する。
【００７２】
可動端子２３０のリード部２３１は、プリント基板４６０上に形成されたＧＮＤ電極４７０に半田付けされる。
【００７３】
［スイッチ機構４１０の検出動作］
図１７Ａはメモリカード２０が未挿入のときのスイッチ機構４１０の状態を示す平面図である。図１７Ｂは図１７ＡのＥ１−Ｅ１線に沿う縦断面図である。図１７Ａ及び図１７Ｂに示されるように、下段ハウジングモジュール７０において、下段挿入口６２から第１のメモリカード２０が挿入されていない未挿入のときは、可動端子２３０の可撓部２３４が右側（Ｘ１方向）に変位している。そのため、可動端子２３０のカード当接部２３５は、カード挿入部２２０内に突出している。
【００７４】
また、可動端子２３０のワイピング部２３７は、先端の接触部２３７ａが固定端子４４０、４５０の右側（Ｘ１方向）の中立領域となるプリント基板４６０の上面（絶縁層）に接触しており、固定端子４４０、４５０に対して非接触となる中立状態で停止している。
【００７５】
図１７Ｃはメモリカード２０が未挿入のときのスイッチ機構４１０の状態を模式的に示す図である。図１７Ｃに示されるように、可動端子２３０のワイピング部２３７は、第1の固定端子４４０及び第２の固定端子４５０より離間しているので、第1の固定端子４４０及び第２の固定端子４５０はオフ状態になっている。従って、スイッチ機構４１０から出力された検出信号を受信した検出回路３００は、第1の固定端子４４０及び第２の固定端子４５０からの検出信号の組合せ（オフ、オフ）によってメモリカード２０が未挿入であることを認知することができる。
【００７６】
図１８Ａは書き込み可能を設定されたメモリカード２０がカード挿入部２２０内に挿入されたときのスイッチ機構４１０の状態を示す平面図である。図１８Ｂは図１８ＡのＥ２−Ｅ２線に沿う縦断面図である。図１８Ａ及び図１８Ｂに示されるように、下段ハウジングモジュール７０の下段挿入口６２から第１のメモリカード２０が挿入されたときは、可動端子２３０のカード当接部２３５が第１のメモリカード２０の左側面に当接して左側（Ｘ２方向）に押し出される。
【００７７】
さらに、下段ハウジングモジュール７０のカード挿入部２２０内に挿入、装着された当該メモリカード２０の書き込み指示部材２３が書き込み可能位置にある場合、可動端子２３０のカード当接部２３５は、書き込み指示部材２３に当接する。
【００７８】
これにより、可動端子２３０のワイピング部２３７は、可動端子２３０の可撓部２３４が左側（Ｘ２方向）に弾性変形すると共に、先端の接触部２３７ａが第1の固定端子４４０を通過して第２の固定端子４５０の上面に摺接する検出位置に移動する。そして、ワイピング部２３７は、接触部２３７ａが第２の固定端子４５０の上面を摺接する際の抵抗を受けて若干撓んだ状態になりながら曲げ部２３６により左側（Ｘ２方向）に押し出される。そのため、ワイピング部２３７の接触部２３７ａは、可動端子２３０のバネ力によって第２の固定端子４５０の上面を下方に押圧しながら摺動してワイピング動作を行なう。
【００７９】
図１８Ｃは書き込み可能を設定されたメモリカード２０が挿入されたときのスイッチ機構２１０の動作状態を模式的に示す図である。図１８Ｃに示されるように、可動端子２３０のワイピング部２３７は、第２の固定端子４５０の上面に接触しており、第1の固定端子２４０がオフ状態、第２の固定端子４５０がオン状態になっている。従って、スイッチ機構２１０から出力された検出信号を受信した検出回路３００は、第1の固定端子２４０及び第２の固定端子４５０からの検出信号の組合せ(オフ、オン)によってメモリカード２０が装着され、且つメモリカード２０の書き込み指示部材２３が書き込み可能位置にあることを認知することができる。
【００８０】
図１９Ａは書き込み禁止を設定されたメモリカード２０がカード挿入部２２０内に挿入されたときのスイッチ機構４１０の状態を示す平面図である。図１９Ｂは図１９ＡのＥ３−Ｅ３線に沿う縦断面図である。図１９Ａ及び図１９Ｂに示されるように、下段ハウジングモジュール７０の下段挿入口６２から第１のメモリカード２０が挿入されたときは、可動端子２３０のカード当接部２３５が第１のメモリカード２０の左側面に当接して左側（Ｘ２方向）に押し出される。
【００８１】
さらに、下段ハウジングモジュール７０のカード挿入部２２０内に挿入された当該メモリカード２０の書き込み指示部材２３が書き込み禁止位置にある場合、メモリカード２０の左側面に形成された凹部２４は、可動端子２３０のカード当接部２３５に当接する位置に変位する。
【００８２】
これにより、可動端子２３０のワイピング部２３７は、メモリカード２０の挿入と共に、左側（Ｘ２方向）に変位した後、カード当接部２３５がメモリカード２０の左側面に形成された凹部２４に当接する際に右側（Ｘ１方向）に戻る。右側（Ｘ１方向）への戻り量は、第1の固定端子４４０と第２の固定端子４５０とのピッチ（センタ間距離）と同程度になるように設定されている。
【００８３】
そのため、ワイピング部２３７の接触部２３７ａは、第２の固定端子４５０の上面を一旦摺接した後、第1の固定端子４４０の上面に摺接する位置に変位する。
【００８４】
図１９Ｃは書き込み禁止を設定されたメモリカード２０が挿入されたときのスイッチ機構４１０の動作状態を模式的に示す図である。図１９Ｃに示されるように、可動端子２３０のワイピング部２３７は、第1の固定端子４４０のみに接触する位置にあり、第1の固定端子２４０がオン状態、第２の固定端子４５０がオフ状態になっている。従って、スイッチ機構４１０から出力された検出信号を受信した検出回路３００は、第1の固定端子４４０及び第２の固定端子４５０からの検出信号の組合せ(オン、オフ)によってメモリカード２０が装着され、且つメモリカード２０の書き込み指示部材２３が書き込み禁止位置にあることを認知することができる。
【００８５】
このように、カード用コネクタ４００は、挿入されたメモリカード２０の状態に応じて可動端子４３０の変位量が変化することで第1の固定端子４４０及び第２の固定端子４５０の何れかに接触(オン)または離間(オフ)するため、可動端子数を削減してコネクタの組み立てが容易になり、生産効率を向上させることが可能になる。
【実施例３】
【００８６】
図２０は本発明によるカード用コネクタの実施例３を示す斜視図である。尚、図２０において、前述した図４、図１３と同じ部分には、同一符号を付して説明を省略する。図２０に示されるように、カード用コネクタ５００は、下段ハウジングモジュール７０と、上段ハウジング１００とを有する。カード用コネクタ５００の左側面には、スイッチ機構５１０が設けられている。
【００８７】
［スイッチ機構５１０の構成］
図２１は下段ハウジングモジュール７０を示す斜視図である。図２２は図２１中のＦ部を下段ハウジングモジュール７０の左側からみた拡大図である。図２３はスイッチ機構５１０を左側方からみた部分側面図である。図２４はスイッチ機構５１０を上方からみた平面図である。
【００８８】
図２１乃至図２４に示されるように、スイッチ機構５１０は、カード挿入部２２０の左側方に配されている。スイッチ機構５１０は、可動端子５３０と、第1の固定端子５４０と、第２の固定端子５５０とを有する。
【００８９】
図２５Ａは可動端子５３０の構成を示す斜視図である。図２５Ａに示されるように、可動端子５３０は、前述した実施例１の可動端子２３０と同様に、リード端子５３１と、支柱部５３２と、保持部５３３と、可撓部５３４と、カード当接部５３５とを有する。さらに、可動端子５３０は、可撓部５３４の先端に上下位置に二股形状に形成された一対の腕部５３６，５３７と、一対の腕部５３６，５３７の先端よりＸ２方向に曲げられた第１のワイピング部５３８と、第２のワイピング部５３９とを有する。
【００９０】
第１のワイピング部５３８及び第２のワイピング部５３９は、可撓部５３４の先端よりＸ２方向に曲げられた二股形状に形成されており、第１のワイピング部５３８が下方でＸ２方向に延在形成され、第２のワイピング部５３９が上方でＸ２方向に延在形成される。また、第１のワイピング部５３８及び第２のワイピング部５３９は、おなじ垂直面で上下対称となるように形成されている。
【００９１】
図２５Ｂは第1の固定端子５４０及び第２の固定端子５５０の構成を示す斜視図である。図２５Ｂに示されるように、左側面からみると左右対称な形状に見えるが、実際には、第１のワイピング部５３８が接触する第１の接触面５４６と、第２のワイピング部５３９が接触する第２の接触面５５６とが左右方向（Ｘ方向）にずらして配置されている点が異なる。
【００９２】
また、第1の固定端子５４０は、Ｙ１方向からみるとクランク状に形成されており、接触面５４１と、垂直部５４２と、係止部５４３と、垂下部５４５と、第１の接触面５４６を有する。接触面５４１は、プリント基板上の回路パターンに半田付けされる水平な平面と垂直な平面と有するＬ字状に形成されている。
【００９３】
垂直部５４２は、接触面５４１より鉛直方向（Ｚ１方向）に延在形成され、上端が下段ハウジングモジュール７０の上方に位置する高さまで延在形成されている。係止部５４３は、垂直部２４２の上端より右側（Ｘ１方向）に曲げられ、さらに下方に曲げられており、下端が下段ハウジングモジュール７０の上面に設けられたスリットに圧入される。
【００９４】
また、垂下部５４５は、係止部５４３より上方に分岐して隙間５４７を介在させて垂直部５４２と並列に配されている。第１の接触面５４６は、第１のワイピング部５３８に対向するように垂下部５４５の下端に設けられている。
【００９５】
第２の固定端子５５０は、上記第1の固定端子５４０と同様にＹ１方向からみるとクランク状に形成されており、接触面５５１と、垂直部５５２と、係止部５５３と、垂下部５５５と、第２の接触面５５６を有する。接触面５５１は、プリント基板上の回路パターンに半田付けされる水平な平面と垂直な平面と有するＬ字状に形成されている。
【００９６】
垂直部５５２は、接触面５５１より鉛直方向（Ｚ１方向）に延在形成され、上端が下段ハウジングモジュール７０の上方に位置する高さまで延在形成されている。係止部５５３は、垂直部２５２の上端より右側（Ｘ１方向）に曲げられ、さらに下方に曲げられており、下端が下段ハウジングモジュール７０の上面に設けられたスリットに圧入される。
【００９７】
また、垂下部５５５は、係止部５５３より上方に分岐して隙間５５７を介在させて垂直部５５２と並列に配されている。第２の接触面５５６は、第２のワイピング部５３９に対向するように垂下部５５５の下端に設けられている。
【００９８】
図２６は可動端子５３０、第1の固定端子５４０及び第２の固定端子５５０の取付状態を左側（外側）からみた斜視図である。図２７は可動端子５３０、第1の固定端子５４０及び第２の固定端子５５０の取付状態を右側(内側)からみた斜視図である。尚、図２６，図２７では係止部５４３，５５３を省略してある。図２６及び図２７に示されるように、スイッチ機構５１０においては、下段ハウジングモジュール７０の内側から可動端子５３０の第１のワイピング部５３８が第1の固定端子５４０の第１の接触面５４６に対向し、第２のワイピング部５３９が第２の固定端子５５０の第２の接触面５５６に対向する。
【００９９】
第1の固定端子５４０の第１の接触面５４６が下方に向けて傾斜しているのに対し、第１のワイピング部５３８の接触部５３８ａが接触時の摺動抵抗を軽減するようにＲ形状に加工されると共に、先端が下方に傾斜している。また、第２の固定端子５５０の第２の接触面５５６が上方に向けて傾斜しているのに対し、第２のワイピング部５３９の接触部５３９ａが接触時の摺動抵抗を軽減するようにＲ形状に加工されると共に、先端が上方に傾斜している。
【０１００】
［スイッチ機構５１０の検出動作］
図２８Ａはメモリカード２０が未挿入のときのスイッチ機構５１０の状態を示す平面図である。図２８Ｂは図２８ＡのＧ１−Ｇ１線に沿う縦断面図である。図２８Ａ及び図２８Ｂに示されるように、下段ハウジングモジュール７０において、下段挿入口６２から第１のメモリカード２０が挿入されていない未挿入のときは、可動端子５３０の可撓部５３４が右側（Ｘ１方向）に変位している。そのため、可動端子５３０のカード当接部５３５は、カード挿入部２２０内に突出している。
【０１０１】
メモリカード未挿入状態のときは、可動端子５３０の第１、第２のワイピング部５３８、５３９は、第１、第２の固定端子５４０、５５０の第１、第２の接触面５４６、５５６から離間した中立領域に位置している。また、第1の固定端子５４０の第１の接触面５４６と第２の固定端子５５０の第２の接触面５５６との間には、左右方向（Ｘ方向）のずれ量Ｓ２が設定されている。すなわち、第１の接触面５４６の右端と第２の接触面５５６の右端とのずれ(間隔)がずれ量Ｓ２となる。
【０１０２】
さらに、第１のワイピング部５３８の接触部５３８ａと第1の固定端子５４０の第１の接触面５４６との離間距離Ｌ１は、第２のワイピング部５３９の接触部５３９ａと第２の固定端子５５０の第２の接触面５５６の離間距離Ｌ２の所定割合（例えば、１／５倍程度）短くなるように設定されている。
【０１０３】
すなわち、本実施例においては、Ｌ１＜Ｌ２であるので、可動端子５３０の可撓部５３４が左側（Ｘ２方向）に変位する場合、第１のワイピング部５３８の接触部５３８ａが第１の固定端子５４０の第１の接触面５４６に先に接触し、さらに可動端子５３０の可撓部５３４が左側（Ｘ２方向）に変位することにより、第２のワイピング部５３９の接触部５３９ａが第２の固定端子５５０の第２の接触面５５６に接触するになる。そのため、本実施例のスイッチ機構５１０では、可動端子５３０の第１、第２のワイピング部５３８、５３９の変位量に応じて第1の固定端子５４０からの検出信号が得られる状態と、第1の固定端子５４０及び第２の固定端子５５０からの検出信号と得られる状態とが時間差をもって切り替わることになる。
【０１０４】
図２８Ｃはメモリカード２０が未挿入のときのスイッチ機構５１０の状態を模式的に示す図である。図２８Ｃに示されるように、可動端子５３０の第１のワイピング部５３８及び第２のワイピング部５３９は、先端の接触部５３８ａ、５３９ａが第1の固定端子５４０の第１の接触面５４６、第２の固定端子５５０の第２の接触面５５６から離間(中立位置)しており、共に非接触状態(オフ状態)である。
【０１０５】
従って、スイッチ機構５１０から出力された検出信号を受信した検出回路３００は、第1の固定端子５４０及び第２の固定端子５５０からの検出信号の組合せ（オフ、オフ）によってメモリカード２０が未挿入であることを認知することができる。
【０１０６】
図２９Ａは書き込み可能を設定されたメモリカード２０がカード挿入部２２０内に挿入されたときのスイッチ機構５１０の状態を示す平面図である。図２９Ｂは図２９ＡのG２−G２線に沿う縦断面図である。図２９Ａ及び図２９Ｂに示されるように、下段ハウジングモジュール７０の下段挿入口６２から第１のメモリカード２０が挿入されたときは、可動端子５３０のカード当接部５３５が第１のメモリカード２０の左側面に当接して左側（Ｘ２方向）に押し出される。
【０１０７】
さらに、下段ハウジングモジュール７０のカード挿入部２２０内に挿入、装着された当該メモリカード２０の書き込み指示部材２３が書き込み可能位置にある場合、可動端子５３０のカード当接部５３５は、書き込み指示部材２３に当接する。そのため、可動端子５３０のカード当接部５３５は、書き込み指示部材２３の側面に当接して第１のワイピング部５３８の接触部５３８ａと第1の固定端子５４０の第１の接触面５４６との離間距離Ｌ１よりも大きく左側（Ｘ２方向）に変位する。すなわち、書き込み指示部材２３が書き込み可能位置にある場合、可動端子５３０の第１、第２のワイピング部５３８、５３９の変位量をＬ３とすると、Ｌ１＜Ｌ２＜Ｌ３となる。そのため、第１、第２のワイピング部５３８、５３９の接触部５３８ａ、５３９ａが第1の固定端子５４０の第１の接触面５４６、第２の固定端子５５０の第２の接触面５５６に共に接触した状態になる。
【０１０８】
上記第１、第２のワイピング部５３８、５３９の検出動作過程においては、上記距離Ｌ１分変位したときに第１のワイピング部５３８の接触部５３８ａが第1の固定端子５４０の第１の接触面５４６に接触、上記距離Ｌ１からＬ２に変位する間は、第１のワイピング部５３８の接触部５３８ａが第1の固定端子５４０の第１の接触面５４６に沿って摺接してワイピング動作を行ないながら、第２のワイピング部５３９の接触部５３９ａが第２の固定端子５５０の第２の接触面５５６に接触する。
【０１０９】
さらに、可動端子５３０のカード当接部５３５が左側（Ｘ２方向）に押し出されると、第２のワイピング部５３９の接触部５３９ａも第２の固定端子５５０の第２の接触面５５６を摺接してワイピング動作を行なう。この動作状態では、第１、第２のワイピング部５３８、５３９が、夫々傾斜する第１、第２の接触面５４６、５５６に沿って互いに広げられるように撓むことになる。そのため、第１、第２のワイピング部５３８、５３９は、互いに離間するようにＺ方向に広げられると共に、第１、第２の接触面５４６、５５６に対する圧着力を増大させて確実に接触する。
【０１１０】
図２９Ｃは書き込み可能を設定されたメモリカード２０が挿入されたときのスイッチ機構５１０の動作状態を模式的に示す図である。図２９Ｃに示されるように、可動端子５３０の第１、第２のワイピング部５３８、５３９は、第1、第２の固定端子５４０、５５０の第１、第２の接触面５４６、５５６に接触しており、第1、第２の固定端子５４０、５５０が共にオン状態になっている。従って、スイッチ機構５１０から出力された検出信号を受信した検出回路３００は、第1の固定端子５４０及び第２の固定端子５５０からの検出信号の組合せ(オン、オン)によってメモリカード２０が装着され、且つメモリカード２０の書き込み指示部材２３が書き込み可能位置にあることを認知することができる。
図３０Ａは書き込み禁止を設定されたメモリカード２０がカード挿入部２２０内に挿入されたときのスイッチ機構５１０の状態を示す平面図である。図３０Ｂは図３０ＡのＧ３−Ｇ３線に沿う縦断面図である。図３０Ａ及び図３０Ｂに示されるように、下段ハウジングモジュール７０の下段挿入口６２から第１のメモリカード２０が挿入されたときは、可動端子５３０のカード当接部５３５が第１のメモリカード２０の左側面に当接して左側（Ｘ２方向）に押し出される。
【０１１１】
さらに、下段ハウジングモジュール７０のカード挿入部２２０内に挿入された当該メモリカード２０の書き込み指示部材２３が書き込み禁止位置にある場合、メモリカード２０の左側面に形成された凹部２４は、可動端子５３０のカード当接部５３５に当接する位置に変位する。
【０１１２】
これにより、可動端子５３０の第１、第２のワイピング部５３８、５３９は、メモリカード２０の挿入と共に、左側（Ｘ２方向）に上記距離Ｌ３（＞Ｌ１）分変位した後、カード当接部５３５がメモリカード２０の左側面に形成された凹部２４に当接する際に右側（Ｘ１方向）に距離Ｌ４分戻る。右側（Ｘ１方向）への戻り量Ｌ４は、Ｌ１＞Ｌ４＞Ｌ２となるように設定されている。
【０１１３】
そのため、小さい離間距離Ｌ２を有する第２のワイピング部５３９の接触部５３９ａが第２の固定端子５５０の第２の接触面５５６に接触しているものの、大きい離間距離Ｌ１を有する第１のワイピング部５３８の接触部５３８ａが第1の固定端子５４０の第１の接触面５４６から離間して非接触状態となる。
【０１１４】
図３０Ｃは書き込み禁止を設定されたメモリカード２０が挿入されたときのスイッチ機構５１０の動作状態を模式的に示す図である。図３０Ｃに示されるように、可動端子５３０の第１のワイピング部５３８が第1の固定端子５４０に非接触でオフ状態になり、第２のワイピング部５３９が第２の固定端子５５０に接触してオン状態になっている。
【０１１５】
従って、スイッチ機構５１０から出力された検出信号を受信した検出回路３００は、第1の固定端子５４０及び第２の固定端子５５０からの検出信号の組合せ(オフ、オン)によってメモリカード２０が装着され、且つメモリカード２０の書き込み指示部材２３が書き込み禁止位置にあることを認知することができる。
【０１１６】
このように、カード用コネクタ５００は、挿入されたメモリカード２０の状態に応じて可動端子５３０の変位量が変化することで第1の固定端子５４０及び第２の固定端子５５０の何れかに接触(オン)または離間(オフ)するため、可動端子数を削減してコネクタの組み立てが容易になり、生産効率を向上させることが可能になる。
【実施例４】
【０１１７】
図３１は本発明によるカード用コネクタの実施例４を示す斜視図である。尚、図３１において、前述した図４、図１３、図２０と同じ部分には、同一符号を付して説明を省略する。図３１に示されるように、カード用コネクタ６００は、下段ハウジングモジュール７０と、上段ハウジング１００とを有する。カード用コネクタ６００の左側面には、スイッチ機構６１０が設けられている。
【０１１８】
［スイッチ機構６１０の構成］
図３２は下段ハウジングモジュール７０を示す斜視図である。図３３は図３２中のＨ部を下段ハウジングモジュール７０の左側からみた拡大図である。図３４はスイッチ機構６１０を左側方からみた部分側面図である。図３５はスイッチ機構６１０を上方からみた平面図である。
【０１１９】
図３２乃至図３５に示されるように、スイッチ機構６１０は、カード挿入部２２０の左側方に配されている。スイッチ機構６１０は、可動端子６３０と、第1の固定端子６４０と、第２の固定端子６５０とを有する。尚、可動端子６３０、第1の固定端子６４０、第２の固定端子６５０は、夫々上記実施例３の可動端子５３０、第1の固定端子５４０、第２の固定端子５５０と形状が同じであるが、第１、第２のワイピング部５３８、５３９及び第１、第２の接触面５４６、５５６の寸法が異なっている。そのため、スイッチ機構６１０は、検出動作のタイミングが上記スイッチ機構５１０と異なるように設定されている。
【０１２０】
図３６Ａは可動端子６３０の構成を示す斜視図である。図３６Ａに示されるように、可動端子６３０は、前述した実施例３の可動端子５３０と同様に、リード端子６３１と、支柱部６３２と、保持部６３３と、可撓部６３４と、カード当接部６３５と、一対の腕部６３６，６３７と、第１のワイピング部６３８と、第２のワイピング部６３９とを有する。
【０１２１】
図３６Ｂは第1の固定端子６４０及び第２の固定端子６５０の構成を示す斜視図である。図３６Ｂに示されるように、第1の固定端子６４０は、前述した実施例３の第1の固定端子５４０と同様に、接触面６４１と、垂直部６４２と、係止部６４３と、垂下部６４５と、第１の接触面６４６を有する。接触面６４１は、プリント基板上の回路パターンに半田付けされる水平な平面と垂直な平面と有するＬ字状に形成されている。
【０１２２】
垂直部６４２は、接触面６４１より鉛直方向（Ｚ１方向）に延在形成され、上端が下段ハウジングモジュール７０の上方に位置する高さまで延在形成されている。係止部６４３は、垂直部６４２の上端より右側（Ｘ１方向）に曲げられ、さらに下方に曲げられており、下端が下段ハウジングモジュール７０の上面に設けられたスリットに圧入される。
【０１２３】
また、垂下部６４５は、係止部６４３より上方に分岐して隙間６４７を介在させて垂直部６４２と並列に配されている。第１の接触面６４６は、第１のワイピング部６３８に対向するように垂下部６４５の下端に設けられている。
【０１２４】
第２の固定端子６５０は、上記第1の固定端子６４０と同様にＹ１方向からみるとクランク状に形成されており、接触面６５１と、垂直部６５２と、係止部６５３と、垂下部６５５と、第２の接触面６５６を有する。接触面６５１は、プリント基板上の回路パターンに半田付けされる水平な平面と垂直な平面と有するＬ字状に形成されている。
【０１２５】
垂直部６５２は、接触面６５１より鉛直方向（Ｚ１方向）に延在形成され、上端が下段ハウジングモジュール７０の上方に位置する高さまで延在形成されている。係止部６５３は、垂直部６５２の上端より右側（Ｘ１方向）に曲げられ、さらに下方に曲げられており、下端が下段ハウジングモジュール７０の上面に設けられたスリットに圧入される。
【０１２６】
また、垂下部６５５は、係止部６５３より上方に分岐して隙間６５７を介在させて垂直部６５２と並列に配されている。第２の接触面６５６は、第２のワイピング部６３９に対向するように垂下部６５５の下端に設けられている。
【０１２７】
図３７は可動端子６３０、第1の固定端子６４０及び第２の固定端子６５０の取付状態を左側（外側）からみた斜視図である。図３８は可動端子６３０、第1の固定端子６４０及び第２の固定端子６５０の取付状態を右側(内側)からみた斜視図である。尚、図３７、図３８では係止部６４３，６５３を省略してある。図３７及び図３８に示されるように、スイッチ機構６１０においては、下段ハウジングモジュール７０の内側から可動端子６３０の第１のワイピング部６３８が第1の固定端子６４０の第１の接触面６４６に対向し、第２のワイピング部５３９が第２の固定端子６５０の第２の接触面６５６に対向する。
【０１２８】
第1の固定端子６４０の第１の接触面６４６が上方に向けて傾斜しているのに対し、第１のワイピング部６３８の接触部６３８ａが接触時の摺動抵抗を軽減するようにＲ形状に加工されると共に、先端が上方に傾斜している。また、第２の固定端子６５０の第２の接触面６５６が下方に向けて傾斜しているのに対し、第２のワイピング部６３９の接触部６３９ａが接触時の摺動抵抗を軽減するようにＲ形状に加工されると共に、先端が下方に傾斜している。
【０１２９】
本実施例では、上記実施例３と異なり、第1の固定端子６４０の第１の接触面６４６と第２の固定端子６５０の第２の接触面６５６とが左右方向（Ｘ方向）で同じ位置となるように配されている。すなわち、第1の固定端子６４０の第１の接触面６４６は、第２の固定端子６５０の第２の接触面６５６の下方に位置するように設けられており、第1の固定端子６４０の第１の接触面６４６と第２の固定端子６５０の第２の接触面６５６とが上下方向で対称となるように設けられている。
【０１３０】
さらに、第１のワイピング部６３８の接触部６３８ａが左側（Ｘ２方向）に短く形成され、２のワイピング部６３９の接触部６３９ａが左側（Ｘ２方向）に長く延在するように形成されている。すなわち、可動端子６３０の第１のワイピング部６３８と第1の固定端子６４０の第１の接触面６４６との離間距離が長くなるように設定されている。また、第２のワイピング部５３９と第２の固定端子６５０の第２の接触面６５６との離間距離は、第１のワイピング部６３８と第１の接触面６４６との離間距離よりも長くなるように設定されている。
【０１３１】
そのため、後述する検出動作においては、可動端子６３０がメモリカード２０の挿入によって左側（Ｘ２方向）に弾性変形するのに伴って、先ず、第１のワイピング部６３８が第1の固定端子６４０の第１の接触面６４６に接触する。その後、可動端子６３０がさらに左側（Ｘ２方向）に弾性変形した場合には、第２のワイピング部５３９が第２の固定端子６５０の第２の接触面６５６に接触する。
【０１３２】
［スイッチ機構６１０の検出動作］
図３９Ａはメモリカード２０が未挿入のときのスイッチ機構６１０の状態を示す平面図である。図３９Ｂは図３９ＡのＩ１−Ｉ１線に沿う縦断面図である。図３９Ａ及び図３９Ｂに示されるように、下段ハウジングモジュール７０において、下段挿入口６２から第１のメモリカード２０が挿入されていない未挿入のときは、可動端子６３０の可撓部６３４が右側（Ｘ１方向）に変位している。そのため、可動端子６３０のカード当接部６３５は、カード挿入部２２０内に突出している。
【０１３３】
メモリカード未挿入状態のときは、可動端子６３０の第１、第２のワイピング部６３８、６３９は、第１、第２の固定端子６４０、６５０の第１、第２の接触面６４６、６５６から離間している。本実施例では、第1の固定端子５４０の第１の接触面５４６と第２の固定端子５５０の第２の接触面５５６との左右方向（Ｘ方向）の位置が同一である。これに対し、第１のワイピング部５３８の接触部５３８ａと第２のワイピング部５３９の接触部５３９ａとの間には、左右方向（Ｘ方向）のずれ量Ｓ３が設定されている。
【０１３４】
さらに、第１のワイピング部６３８の接触部６３８ａと第1の固定端子６４０の第１の接触面６４６との離間距離ＬＡは、第２のワイピング部６３９の接触部６３９ａと第２の固定端子６５０の第２の接触面６５６の離間距離ＬＢより所定割合（例えば、1／２倍程度）短くなるように設定されている。
【０１３５】
すなわち、本実施例においては、ＬＡ＜ＬＢであるので、可動端子６３０の可撓部６３４が左側（Ｘ２方向）に変位する場合、第２のワイピング部６３９の接触部６３９ａが第２の固定端子６５０の第２の接触面６５６に先に接触し、さらに可動端子６３０の可撓部６３４が左側（Ｘ２方向）に変位することにより、第１のワイピング部６３８の接触部６３８ａが第1の固定端子６４０の第１の接触面６４６に接触するになる。そのため、本実施例のスイッチ機構６１０では、可動端子６３０の第１、第２のワイピング部６３８、６３９の変位量に応じて第1の固定端子６４０からの検出信号が得られる状態と、第1の固定端子６４０及び第２の固定端子６５０からの検出信号と得られる状態とが時間差をもって切り替わることになる。
【０１３６】
図３９Ｃはメモリカード２０が未挿入のときのスイッチ機構６１０の状態を模式的に示す図である。図３９Ｃに示されるように、可動端子５３０の第１のワイピング部６３８及び第２のワイピング部６３９は、先端の接触部６３８ａ、６３９ａが第1の固定端子６４０の第１の接触面６４６、第２の固定端子６５０の第２の接触面６５６から離間（中立状態）しており、共に非接触状態(オフ状態)である。
【０１３７】
従って、スイッチ機構６１０から出力された検出信号を受信した検出回路３００は、第1の固定端子６４０及び第２の固定端子６５０からの検出信号の組合せ（オフ、オフ）によってメモリカード２０が未挿入であることを認知することができる。
【０１３８】
図４０Ａは書き込み可能を設定されたメモリカード２０がカード挿入部２２０内に挿入されたときのスイッチ機構６１０の状態を示す平面図である。図４０Ｂは図４０ＡのＩ２−Ｉ２線に沿う縦断面図である。図４０Ａ及び図４０Ｂに示されるように、下段ハウジングモジュール７０の下段挿入口６２から第１のメモリカード２０が挿入されたときは、可動端子６３０のカード当接部６３５が第１のメモリカード２０の左側面に当接して左側（Ｘ２方向）に押し出される。
【０１３９】
さらに、下段ハウジングモジュール７０のカード挿入部２２０内に挿入、装着された当該メモリカード２０の書き込み指示部材２３が書き込み可能位置にある場合、可動端子６３０のカード当接部６３５は、書き込み指示部材２３に当接する。そのため、可動端子６３０のカード当接部６３５は、書き込み指示部材２３の側面に当接して第１のワイピング部６３８の接触部６３８ａと第1の固定端子６４０の第１の接触面６４６との離間距離Ｌ１よりも大きく左側（Ｘ２方向）に変位する。すなわち、書き込み指示部材２３が書き込み可能位置にある場合、可動端子６３０の第１、第２のワイピング部６３８、６３９の変位量をＬＣとすると、ＬＣ＞ＬＢ＞ＬＡとなる。そのため、第１、第２のワイピング部６３８、６３９の接触部６３８ａ、６３９ａが第1の固定端子６４０の第１の接触面６４６、第２の固定端子６５０の第２の接触面６５６に共に接触した状態になる。
【０１４０】
上記第１、第２のワイピング部６３８、６３９の検出動作過程においては、上記距離ＬＡ分変位したときに第１のワイピング部６３８の接触部６３８ａが第1の固定端子６４０の第１の接触面６４６に接触、上記距離ＬＡから距離ＬＢに変位する間は、第１のワイピング部６３８の接触部６３８ａが第1の固定端子６４０の第１の接触面６４６に沿って摺接してワイピング動作を行ないながら、第２のワイピング部６３９の接触部６３９ａが第２の固定端子６５０の第２の接触面６５６に接触する。
【０１４１】
さらに、可動端子６３０のカード当接部６３５が左側（Ｘ２方向）に押し出されると、第２のワイピング部６３９の接触部６３９ａも第２の固定端子６５０の第２の接触面６５６を摺接してワイピング動作を行なう。この動作状態では、第１、第２のワイピング部６３８、６３９が、夫々傾斜する第１、第２の接触面６４６、６５６に沿って互いに広げられるように撓むことになる。そのため、第１、第２のワイピング部６３８、６３９は、互いに離間するようにＺ方向に広げられると共に第１、第２の接触面６４６、６５６に対する圧着力を増大させて確実に接触する。
【０１４２】
図４０Ｃは書き込み可能を設定されたメモリカード２０が挿入されたときのスイッチ機構６１０の動作状態を模式的に示す図である。図４０Ｃに示されるように、可動端子６３０の第１、第２のワイピング部６３８、６３９は、第1、第２の固定端子６４０、６５０の第１、第２の接触面６４６、６５６に接触しており、第1、第２の固定端子６４０、６５０が共にオン状態になっている。従って、スイッチ機構６１０から出力された検出信号を受信した検出回路３００は、第1の固定端子６４０及び第２の固定端子６５０からの検出信号の組合せ(オン、オン)によってメモリカード２０が装着され、且つメモリカード２０の書き込み指示部材２３が書き込み可能位置にあることを認知することができる。
【０１４３】
図４１Ａは書き込み禁止を設定されたメモリカード２０がカード挿入部２２０内に挿入されたときのスイッチ機構６１０の状態を示す平面図である。図４１Ｂは図４１ＡのＩ３−Ｉ３線に沿う縦断面図である。図４１Ａ及び図４１Ｂに示されるように、下段ハウジングモジュール７０の下段挿入口６２から第１のメモリカード２０が挿入されたときは、可動端子６３０のカード当接部６３５が第１のメモリカード２０の左側面に当接して左側（Ｘ２方向）に押し出される。
【０１４４】
さらに、下段ハウジングモジュール７０のカード挿入部２２０内に挿入された当該メモリカード２０の書き込み指示部材２３が書き込み禁止位置にある場合、可動端子６３０のカード当接部６３５は、メモリカード２０の左側面に形成された凹部２４に当接する位置に変位する。
【０１４５】
これにより、可動端子６３０の第１、第２のワイピング部６３８、６３９は、メモリカード２０の挿入と共に、左側（Ｘ２方向）に上記距離ＬＣ（＞ＬＡ）分変位した後、カード当接部６３５がメモリカード２０の左側面に形成された凹部２４に当接する際に右側（Ｘ１方向）に距離ＬＤ分戻る。右側（Ｘ１方向）への戻り量ＬＤは、ＬＢ＞ＬＤ＞ＬＡとなるように設定されている。
【０１４６】
そのため、距離ＬＡを有する第１のワイピング部６３８の接触部６３８ａが第８の固定端子６４０の第１の接触面６４６に接触しているものの、距離ＬＢを有する第２のワイピング部６３９の接触部６３９ａが第２の固定端子６５０の第２の接触面６５６から離間して非接触状態となる。
【０１４７】
図４１Ｃは書き込み禁止を設定されたメモリカード２０が挿入されたときのスイッチ機構６１０の動作状態を模式的に示す図である。図４１Ｃに示されるように、可動端子６３０の第１のワイピング部６３８が第1の固定端子６４０に接触してオン状態になり、第２のワイピング部６３９が第２の固定端子６５０に非接触でオフ状態になっている。
【０１４８】
従って、スイッチ機構６１０から出力された検出信号を受信した検出回路３００は、第1の固定端子６４０及び第２の固定端子６５０からの検出信号の組合せ(オン、オフ)によってメモリカード２０が装着され、且つメモリカード２０の書き込み指示部材２３が書き込み禁止位置にあることを認知することができる。
【０１４９】
このように、カード用コネクタ６００は、挿入されたメモリカード２０の状態に応じて可動端子６３０の変位量が変化することで第1の固定端子６４０及び第２の固定端子６５０の何れかに接触(オン)または離間(オフ)するため、可動端子数を削減してコネクタの組み立てが容易になり、生産効率を向上させることが可能になる。
【産業上の利用可能性】
【０１５０】
上記実施例では、メモリカードが挿入、装着される場合について説明したが、カード用コネクタに挿入されるものとしては、カード状のものであれば良いので、メモリカードに限りものではない。例えば、メモリを有していなくてもカード用コネクタに挿入されることにより何らかの電気的信号を出力するような機能を有していれば良い。
【図面の簡単な説明】
【０１５１】
【図１】形状の異なる各種メモリカードが選択的に挿入可能とされるカード用コネクタの一例を示す斜視図である。
【図２】図１のカード用コネクタを分解して示す斜視図である。
【図３】図１のカード用コネクタのＡ−Ａ線に沿う縦断面図である。
【図４】本発明によるカード用コネクタの実施例１を示す斜視図である。
【図５】下段ハウジングモジュール７０を示す斜視図である。
【図６Ａ】図５中のＢ部を下段ハウジングモジュール７０の左側からみた拡大図である。
【図６Ｂ】図５中のＢ部を下段ハウジングモジュール７０の右側からみた拡大図である。
【図７】スイッチ機構２１０を上方からみた平面図である。
【図８Ａ】スイッチ機構２１０の可動端子２３０を示す斜視図である。
【図８Ｂ】スイッチ機構２１０の第1の固定端子２４０及び第２の固定端子２５０を示す斜視図である。
【図９】スイッチ機構２１０の組み付け状態を示す斜視図である。
【図１０Ａ】メモリカード２０が未挿入のときのスイッチ機構２１０の状態を示す平面図である。
【図１０Ｂ】図１０ＡのＣ１−Ｃ１線に沿う縦断面図である。
【図１０Ｃ】メモリカード２０が未挿入のときのスイッチ機構２１０の状態を模式的に示す図である。
【図１１Ａ】書き込み可能を設定されたメモリカード２０がカード挿入部２２０内に挿入されたときのスイッチ機構２１０の状態を示す平面図である。
【図１１Ｂ】図１１ＡのＣ２−Ｃ２線に沿う縦断面図である。
【図１１Ｃ】書き込み可能を設定されたメモリカード２０が挿入されたときのスイッチ機構２１０の動作状態を模式的に示す図である。
【図１２Ａ】書き込み禁止を設定されたメモリカード２０がカード挿入部２２０内に挿入されたときのスイッチ機構２１０の状態を示す平面図である。
【図１２Ｂ】図１２ＡのＣ３−Ｃ３線に沿う縦断面図である。
【図１２Ｃ】書き込み禁止を設定されたメモリカード２０が挿入されたときのスイッチ機構２１０の動作状態を模式的に示す図である。
【図１３】本発明によるカード用コネクタの実施例２を示す斜視図である。
【図１４】下段ハウジングモジュール７０を示す斜視図である。
【図１５】図１４中のＤ部を下段ハウジングモジュール７０の左側からみた拡大図である。
【図１６】スイッチ機構４１０を上方からみた平面図である。
【図１７Ａ】メモリカード２０が未挿入のときのスイッチ機構４１０の状態を示す平面図である。
【図１７Ｂ】図１７ＡのＥ１−Ｅ１線に沿う縦断面図である。
【図１７Ｃ】メモリカード２０が未挿入のときのスイッチ機構４１０の状態を模式的に示す図である。
【図１８Ａ】書き込み可能を設定されたメモリカード２０がカード挿入部２２０内に挿入されたときのスイッチ機構４１０の状態を示す平面図である。
【図１８Ｂ】図１８ＡのＥ２−Ｅ２線に沿う縦断面図である。
【図１８Ｃ】書き込み可能を設定されたメモリカード２０が挿入されたときのスイッチ機構４１０の動作状態を模式的に示す図である。
【図１９Ａ】書き込み禁止を設定されたメモリカード２０がカード挿入部２２０内に挿入されたときのスイッチ機構４１０の状態を示す平面図である。
【図１９Ｂ】図１９ＡのＥ３−Ｅ３線に沿う縦断面図である。
【図１９Ｃ】書き込み禁止を設定されたメモリカード２０が挿入されたときのスイッチ機構４１０の状態を模式的に示す図である。
【図２０】本発明によるカード用コネクタの実施例３を示す斜視図である。
【図２１】下段ハウジングモジュール７０を示す斜視図である。
【図２２】図２１中のＦ部を下段ハウジングモジュール７０の左側からみた拡大図である。
【図２３】スイッチ機構５１０を左側方からみた部分側面図である。
【図２４】スイッチ機構５１０を上方からみた平面図である。
【図２５Ａ】可動端子５３０の構成を示す斜視図である。
【図２５Ｂ】第1の固定端子５４０及び第２の固定端子５５０の構成を示す斜視図である。
【図２６】可動端子５３０、第1の固定端子５４０及び第２の固定端子５５０の取付状態を左側（外側）からみた斜視図である。
【図２７】可動端子５３０、第1の固定端子５４０及び第２の固定端子５５０の取付状態を右側(内側)からみた斜視図である。
【図２８Ａ】メモリカード２０が未挿入のときのスイッチ機構５１０の状態を示す平面図である。
【図２８Ｂ】図２８ＡのＧ１−Ｇ１線に沿う縦断面図である。
【図２８Ｃ】メモリカード２０が未挿入のときのスイッチ機構５１０の状態を模式的に示す図である。
【図２９Ａ】書き込み可能を設定されたメモリカード２０がカード挿入部２２０内に挿入されたときのスイッチ機構５１０の状態を示す平面図である。
【図２９Ｂ】図２９ＡのG２−G２線に沿う縦断面図である。
【図２９Ｃ】書き込み可能を設定されたメモリカード２０が挿入されたときのスイッチ機構５１０の動作状態を模式的に示す図である。
【図３０Ａ】書き込み禁止を設定されたメモリカード２０がカード挿入部２２０内に挿入されたときのスイッチ機構５１０の状態を示す平面図である。
【図３０Ｂ】図３０ＡのＧ３−Ｇ３線に沿う縦断面図である。
【図３０Ｃ】書き込み禁止を設定されたメモリカード２０が挿入されたときのスイッチ機構５１０の動作状態を模式的に示す図である。
【図３１】本発明によるカード用コネクタの実施例４を示す斜視図である。
【図３２】下段ハウジングモジュール７０を示す斜視図である。
【図３３】図３２中のＨ部を下段ハウジングモジュール７０の左側からみた拡大図である。
【図３４】スイッチ機構６１０を左側方からみた部分側面図である。
【図３５】スイッチ機構６１０を上方からみた平面図である。
【図３６Ａ】可動端子６３０の構成を示す斜視図である。
【図３６Ｂ】第1の固定端子６４０及び第２の固定端子６５０の構成を示す斜視図である。
【図３７】可動端子６３０、第1の固定端子６４０及び第２の固定端子６５０の取付状態を左側（外側）からみた斜視図である。
【図３８】可動端子６３０、第1の固定端子６４０及び第２の固定端子６５０の取付状態を右側(内側)からみた斜視図である。
【図３９Ａ】メモリカード２０が未挿入のときのスイッチ機構６１０の状態を示す平面図である。
【図３９Ｂ】図３９ＡのＩ１−Ｉ１線に沿う縦断面図である。
【図３９Ｃ】メモリカード２０が未挿入のときのスイッチ機構６１０の状態を模式的に示す図である。
【図４０Ａ】書き込み可能を設定されたメモリカード２０がカード挿入部２２０内に挿入されたときのスイッチ機構６１０の状態を示す平面図である。
【図４０Ｂ】図４０ＡのＩ２−Ｉ２線に沿う縦断面図である。
【図４０Ｃ】書き込み可能を設定されたメモリカード２０が挿入されたときのスイッチ機構６１０の動作状態を模式的に示す図である。
【図４１Ａ】書き込み禁止を設定されたメモリカード２０がカード挿入部２２０内に挿入されたときのスイッチ機構６１０の状態を示す平面図である。
【図４１Ｂ】図４１ＡのＩ３−Ｉ３線に沿う縦断面図である。
【図４１Ｃ】書き込み禁止を設定されたメモリカード２０が挿入されたときのスイッチ機構６１０の動作状態を模式的に示す図である。
【符号の説明】
【０１５２】
２０  第１のメモリカード
７０  下段ハウジングモジュール
６２  下段挿入口
２００、４００、５００、６００  カード用コネクタ
２１０、４１０、５１０、６１０  スイッチ機構
２２０  カード挿入部
２３０、５３０、６３０  可動端子
２４０、４４０、５４０、６４０  第1の固定端子
２５０、４５０、５５０，６５０  第２の固定端子
２３４  可撓部
２３５、５３５、６３５  カード当接部
２３７  ワイピング部
２３７ａ、５３８ａ、５３９ａ、６３８ａ、６３９ａ  接触部
３００  検出回路
４６０  プリント基板
５３８、６３８  第１のワイピング部
５３９、６３９  第２のワイピング部
５４６、６４６  第１の接触面
５５６、６５６  第２の接触面
【図１】
2010224966.tif 000003
【図２】
2010224966.tif 000004
【図３】
2010224966.tif 000005
【図４】
2010224966.tif 000006
【図５】
2010224966.tif 000007
【図６Ａ】
2010224966.tif 000008
【図６Ｂ】
2010224966.tif 000009
【図７】
2010224966.tif 000010
【図８Ａ】
2010224966.tif 000011
【図８Ｂ】
2010224966.tif 000012
【図９】
2010224966.tif 000013
【図１０Ａ】
2010224966.tif 000014
【図１０Ｂ】
2010224966.tif 000015
【図１０Ｃ】
2010224966.tif 000016
【図１１Ａ】
2010224966.tif 000017
【図１１Ｂ】
2010224966.tif 000018
【図１１Ｃ】
2010224966.tif 000019
【図１２Ａ】
2010224966.tif 000020
【図１２Ｂ】
2010224966.tif 000021
【図１２Ｃ】
2010224966.tif 000022
【図１３】
2010224966.tif 000023
【図１４】
2010224966.tif 000024
【図１５】
2010224966.tif 000025
【図１６】
2010224966.tif 000026
【図１７Ａ】
2010224966.tif 000027
【図１７Ｂ】
2010224966.tif 000028
【図１７Ｃ】
2010224966.tif 000029
【図１８Ａ】
2010224966.tif 000030
【図１８Ｂ】
2010224966.tif 000031
【図１８Ｃ】
2010224966.tif 000032
【図１９Ａ】
2010224966.tif 000033
【図１９Ｂ】
2010224966.tif 000034
【図１９Ｃ】
2010224966.tif 000035
【図２０】
2010224966.tif 000036
【図２１】
2010224966.tif 000037
【図２２】
2010224966.tif 000038
【図２３】
2010224966.tif 000039
【図２４】
2010224966.tif 000040
【図２５Ａ】
2010224966.tif 000041
【図２５Ｂ】
2010224966.tif 000042
【図２６】
2010224966.tif 000043
【図２７】
2010224966.tif 000044
【図２８Ａ】
2010224966.tif 000045
【図２８Ｂ】
2010224966.tif 000046
【図２８Ｃ】
2010224966.tif 000047
【図２９Ａ】
2010224966.tif 000048
【図２９Ｂ】
2010224966.tif 000049
【図２９Ｃ】
2010224966.tif 000050
【図３０Ａ】
2010224966.tif 000051
【図３０Ｂ】
2010224966.tif 000052
【図３０Ｃ】
2010224966.tif 000053
【図３１】
2010224966.tif 000054
【図３２】
2010224966.tif 000055
【図３３】
2010224966.tif 000056
【図３４】
2010224966.tif 000057
【図３５】
2010224966.tif 000058
【図３６Ａ】
2010224966.tif 000059
【図３６Ｂ】
2010224966.tif 000060
【図３７】
2010224966.tif 000061
【図３８】
2010224966.tif 000062
【図３９Ａ】
2010224966.tif 000063
【図３９Ｂ】
2010224966.tif 000064
【図３９Ｃ】
2010224966.tif 000065
【図４０Ａ】
2010224966.tif 000066
【図４０Ｂ】
2010224966.tif 000067
【図４０Ｃ】
2010224966.tif 000068
【図４１Ａ】
2010224966.tif 000069
【図４１Ｂ】
2010224966.tif 000070
【図４１Ｃ】
2010224966.tif 000071